(57)【特許請求の範囲】
【請求項１】
タッチパネルを複数の接続状態で接続可能な画像処理装置であって、
前記タッチパネルのタッチ操作を検出するための検出条件情報を前記タッチパネルの接続状態ごとに格納する記憶手段と、
前記記憶手段に格納されている前記検出条件情報の中から、前記タッチパネルの接続状態に応じた前記検出条件情報を選択し、接続された前記タッチパネルの前記検出条件情報として設定する設定手段とを備えることを特徴とする画像処理装置。
【請求項２】
前記タッチパネルの接続状態として接続位置を検出する位置検出手段を備え、
前記設定手段は、前記記憶手段に格納されている前記検出条件情報の中から、前記位置検出手段により検出される前記タッチパネルの接続位置に応じた前記検出条件情報を選択して設定することを特徴とする請求項１に記載の画像処理装置。
【請求項３】
前記タッチパネルが接続可能な複数の接続部を備え、
前記位置検出手段は、前記タッチパネルが前記接続部の何れかに接続されることに応じて、前記タッチパネルの接続位置を検出することを特徴とする請求項２に記載の画像処理装置。
【請求項４】
前記タッチパネルの接続状態として前記画像処理装置の筐体に対する前記タッチパネルの傾斜角度を検出する角度検出手段を備え、
前記設定手段は、前記記憶手段に格納されている前記検出条件情報の中から、前記角度検出手段により検出される傾斜角度に応じた前記検出条件情報を選択して設定することを特徴とする請求項１乃至３の少なくとも何れか１項に記載の画像処理装置。
【請求項５】
前記タッチパネルの傾斜角度が変更可能であり、
前記角度検出手段は、前記接続部に接続される前記タッチパネルの傾斜角度を検出することを特徴とする請求項４に記載の画像処理装置。
【請求項６】
前記検出条件情報は、前記タッチ操作を検出する前記タッチパネル上の検出領域に関する位置情報を含むことを特徴とする請求項１乃至５の少なくとも何れか１項に記載の画像処理装置。
【請求項７】
前記検出条件情報は、前記タッチ操作を検出する前記タッチパネル上の検出領域の大きさを含むことを特徴とする請求項１乃至６の少なくとも何れか１項に記載の画像処理装置。
【請求項８】
前記タッチパネルは、前記タッチ操作を、パネル表面と指との距離やパネルに接触する指の接触面積に応じて変化する静電容量を検出することにより認識する静電容量式タッチパネルであることを特徴とする請求項１乃至７の少なくとも何れか１項に記載の画像処理装置。
【請求項９】
前記検出条件情報は、前記タッチ操作による入力検出を判断する前記静電容量の変化量に応じたしきい値を含むことを特徴とする請求項８に記載の画像処理装置。
【発明の詳細な説明】
【技術分野】
【０００１】
本発明は、タッチパネル付の表示装置を備えた画像処理装置に関するものである。
【背景技術】
【０００２】
近年、ディスプレイ上にセンサを配置し、ディスプレイに表示された画面を指や専用のペンでタッチ操作することにより入力を受け付けることが可能な、タッチパネル付の表示装置を備えた画像処理装置が提供されている。このような画像処理装置では、画面を直接触れることにより入力動作ができるため、画面を視認しながら直接的で且つ直感的な操作を行うことが可能である。
【０００３】
ここで、タッチパネル付の表示装置に備えられるタッチパネルは様々な方式がある。特許文献１には、静電容量センサを利用した静電容量式タッチスイッチが開示されている。これは、検出感度を高感度から低感度に変化させながら操作入力を検出するものである。特許文献１では、厚手の手袋をしていても、手袋なしの指であっても、確実にタッチ操作を検出することが可能となる。
【０００４】
【特許文献１】特開２００７−２７０３４号公報
【発明の開示】
【発明が解決しようとする課題】
【０００５】
上記特許文献１では、画像処理装置におけるタッチパネル付の表示装置の設置位置が固定されていることを前提として、タッチパネルへのタッチ操作を確実に検出することを目的とするものである。具体的には、タッチパネルに近づける指を覆う手袋等の有無または着用された手袋等の厚みや材質による容量変化の違いを吸収するために、静電容量センサの感度を調整している。
【０００６】
しかしながら、タッチパネル付の表示装置を、画像処理装置の複数の設置位置や傾斜角度に接続可能な画像処理装置では、タッチパネル付の表示装置の設置位置ごとに、タッチ操作による指の接触面積や接触位置のずれ方向およびずれ量は、異なることが通常である。例えば、水平面に置かれたタッチパネルに比して水平面から起き上がった角度に置かれたタッチパネルを上方から操作した場合、タッチ操作における指の接触面積は小さくなってしまう場合がある。また、タッチパネルが目線に対して高い設置位置あるいは低い位置にある場合には、タッチ操作による指の接触位置が、本来の位置から下方あるいは上方にずれてしまう場合もある。
【０００７】
上記特許文献１では、タッチパネルの設置位置や傾斜角度に関係なく、タッチ操作を検出する条件（検出領域や検出面積）が固定されている。従って、このようなタッチ操作による指の接触面積の違いや接触位置のずれは、検出することはできない。そのため、タッチパネル付の表示装置を複数の設置位置や傾斜角度に接続可能な画像処理装置において、確実なタッチ操作の検出を行うことができず問題である。
【０００８】
本発明は、上記の課題に鑑み提案されたものであって、画像処理装置に接続するタッチパネル付の表示装置の接続状態に応じて、確実なタッチ操作の検出を行うことが可能な画像処理装置を提供することを目的とする。
【課題を解決するための手段】
【０００９】
本発明の請求項１に係る画像処理装置は、タッチパネルを複数の接続状態に接続可能な画像処理装置であって、タッチパネルのタッチ操作を検出するための検出条件情報をタッチパネルの接続状態ごとに格納する記憶手段と、記憶手段に格納されている検出条件情報の中から、タッチパネルの接続状態に応じた検出条件情報を選択し、接続されたタッチパネルの検出条件情報として設定する設定手段とを備えて構成されている。
【００１０】
本発明の請求項２に係る画像処理装置は、請求項１に記載の画像処理装置において、タッチパネルの接続状態として接続位置を検出する位置検出手段を備え、設定手段は、記憶手段に格納されている検出条件情報の中から、位置検出手段により検出されるタッチパネルの接続位置に応じた検出条件情報を選択して設定するものである。
【００１１】
本発明の請求項３に係る画像処理装置は、請求項２に記載の画像処理装置において、タッチパネルが接続可能な複数の接続部を備え、位置検出手段は、タッチパネルが接続部の何れかに接続されることに応じて、タッチパネルの接続位置を検出するものである。
【００１２】
本発明の請求項４に係る画像処理装置は、請求項１乃至３の少なくとも何れか１項に記載の画像処理装置において、タッチパネルの接続状態として前記画像処理装置の筐体に対する前記タッチパネルの傾斜角度を検出する角度検出手段を備え、設定手段は、記憶手段に格納されている検出条件情報の中から、角度検出手段により検出される傾斜角度に応じた検出条件情報を選択して設定するものである。
【００１３】
本発明の請求項５に係る画像処理装置は、請求項４に記載の画像処理装置において、タッチパネルの傾斜角度が変更可能であり、角度検出手段は、接続部に接続されるタッチパネルの傾斜角度を検出するものである。
【００１４】
本発明の請求項６に係る画像処理装置は、請求項１乃至５の少なくとも何れか１項に記載の画像処理装置において、検出条件情報は、タッチ操作を検出するタッチパネル上の検出領域に関する位置情報を含むものである。
【００１５】
本発明の請求項７に係る画像処理装置は、請求項１乃至６の少なくとも何れか１項に記載の画像処理装置において、検出条件情報は、タッチ操作を検出するタッチパネル上の検出領域の大きさを含むものである。
【００１６】
本発明の請求項８に係る画像処理装置は、請求項１乃至７の少なくとも何れか１項に記載の画像処理装置において、タッチパネルは、タッチ操作を、パネル表面と指との距離やパネルに接触する指の接触面積に応じて変化する静電容量を検出することにより認識する静電容量式タッチパネルである。
【００１７】
本発明の請求項９に係る画像処理装置は、請求項８に記載の画像処理装置において、検出条件情報は、タッチ操作による入力検出を判断する静電容量の変化量に応じたしきい値を含むものである。
【発明の効果】
【００１８】
本発明の請求項１に係る画像処理装置では、タッチパネルを複数の接続状態に接続可能であり、記憶手段には、タッチパネルのタッチ操作を検出する検出条件情報をタッチパネルの接続状態ごとに格納されている。そして、設定手段が、記憶手段に格納されているタッチパネルの接続状態に応じた検出条件情報を、接続されたタッチパネルの検出条件情報として設定する。ここで、接続状態とは、画像処理装置に取り付けられたタッチパネルの状態を示す。すなわち、取り付けている位置（接続位置）や取り付けている角度（傾斜角度）等が含まれる。
【００１９】
例えば、タッチパネルの接続状態に応じて、タッチする指の部位が指の先端であったり指の腹であったりすることに伴い、タッチパネルへの指の接触面積、接触具合のタッチ操作上の特性などが異なる場合がある。このような、タッチパネルの接続状態ごとに、タッチ操作上の特性が異なる場合であっても、タッチパネルの接続状態に応じたタッチ操作の検出条件情報が設定されるので、接続状態の違いに関わらず、正確なタッチ操作を検出することができる。従って、画像処理装置におけるタッチパネルの操作性を向上させることができる。
【００２０】
また、本発明の請求項２に係る画像処理装置では、請求項１に係る画像処理装置に加えて、位置検出手段を備えており、接続状態としてタッチパネルの接続位置が検出される。そして、設定手段により、位置検出手段により検出される接続位置に応じた検出条件情報が、記憶手段に格納されている検出条件情報から選択されて設定される。
【００２１】
これにより、複数の位置にタッチパネルを接続することができる画像処理装置において、タッチパネルの位置が自動的に検出され、その位置に応じて検出条件情報が設定されるので、タッチパネルの接続位置に関わらず、確実なタッチ操作の検出を行うことができる。そして、複数の接続位置の何れにおいても、正確で操作性の良い、使い易いタッチパネルを備えた画像処理装置を提供することができる。
【００２２】
この場合、画像処理装置は複数の接続部を備えており、その接続部に対してタッチパネルが接続可能である。位置検出手段は、タッチパネルが何れの接続部に接続されたかによって、タッチパネルの接続位置を検出する。
【００２３】
以上により、タッチパネルが接続される接続部によって、タッチパネルの接続位置を特定することができる。
【００２４】
また、本発明の請求項４に係る画像処理装置では、請求項１乃至３の少なくとも何れか１項に係る画像処理装置に加えて、角度検出手段を備えており、接続状態として画像処理装置の筐体に対するタッチパネルの傾斜角度が検出される。設定手段により、角度検出手段により検出される傾斜角度に応じた検出条件情報が、記憶手段に格納されている検出条件情報から選択されて、設定される。
【００２５】
これにより、タッチパネル傾斜角度が可変な画像処理装置において、画像処理装置の筐体に対するタッチパネルの傾斜角度に関わらず、確実にタッチ操作の検出を行うことができる。そして、何れの傾斜角度においても、正確で操作性の良い、使い易いタッチパネルを備えた画像処理装置を提供することができる。
【００２６】
この場合、画像処理装置はタッチパネルの傾斜角度が変更可能である。角度検出手段は、タッチパネルの傾斜角度を検出する。
【００２７】
また、検出条件情報は、タッチパネルにおけるタッチ操作を検出する検出領域に関する位置情報を含むものであることが好ましい。
【００２８】
これにより、タッチパネルの接続位置または傾斜角度により、タッチする指の接触面積や接触具合などが異なる場合でも、各々の状態に適合した検出情報に関する位置情報を備えておくことができる。
【００２９】
また、検出条件情報は、タッチ操作を検出する検出領域の大きさを含むものであっても好ましい。これにより、タッチ操作の感度や検出領域などの違い、タッチする指の接触面積や接触具合などの違いに応じて、検出領域を適切に設定することができる。
【００３０】
また、タッチパネルが、タッチ操作を、パネル表面と指との距離やパネルに接触する指の接触面積に応じて変化する静電容量を検出することにより認識する静電容量式タッチパネルである場合、タッチ操作における接続状態の違いによるタッチ操作の特性の違いを吸収して、タッチパネルの接続位置、傾斜角度に関わらず、確実なタッチ操作の検出を行うことができる。
【００３１】
また、検出条件情報は、タッチ操作による入力検出を判断する静電容量の変化量に応じたしきい値を含むことが好ましい。これにより、タッチ操作特性の違いによる検出信号強度の違いを吸収して、タッチパネルの接続位置、傾斜角度に関わらず、確実なタッチ操作の検出を行うことができる。
【発明を実施するための最良の形態】
【００３２】
図１は、第１実施形態の画像処理装置１の外観構成を示している。図２には、画像処理装置１のシステム構成図を示す。第１実施形態は、液晶タッチパネルユニット３１の接続状態として複数の接続位置に接続することが可能な場合である。
【００３３】
画像処理装置１は、インクジェットプリンタなどプリンタ部２、およびスキャナ部３を、フレームの下部、および上部に備えている。また操作パネル部４をフレームの前方上面に備えている。液晶表示部３６に静電センサ３５を備えた液晶タッチパネルユニット３１が、接続位置（１）として操作パネル部４の中央部に配置されている。ここで、液晶タッチパネルユニット３１の接続位置は、接続位置（１）の他に３ヶ所設けられている。すなわち、フレームの下部前面において、正面視中央上部に接続位置（２）、正面視左方部に接続位置（３）、正面視右方部に接続位置（４）の３箇所である。液晶タッチパネルユニット３１は着脱可能であり、接続位置（１）〜（４）の何れにも接続することができる。
【００３４】
入力キー４０は、例えば、画像処理装置１の電源の投入を指示する電源キー等を含むものである。各入力キー４０の操作に応じ、画像処理装置１に対して各種の指示を行うことができる。
【００３５】
第１実施形態の画像処理装置１のシステム構成について、図２を参照して説明する。図２は、画像処理装置１のシステム構成図である。ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）２６はＣＰＵ２１の指令に従い、画像処理装置１の各種の機能を実行するために統括的に制御処理を行うものである。ＡＳＩＣ２６は、外部バス２５を介してＲＯＭ２２、ＲＡＭ２３、ＭＯＤＥＭ３４に接続されている。ＭＯＤＥＭ３４にはＮＣＵ３３が接続されている。プリンタ部２およびスキャナ部３は、ＡＳＩＣ２６に接続されている。入力キー４０は、パネルゲートアレイ（パネルＧＡ）２７を介してＡＳＩＣ２６に接続されている。パネルゲートアレイ（パネルＧＡ）２７は、入力キー４０の各々の操作により、キー信号をＡＳＩＣ２６に入力する動作を制御する。
【００３６】
液晶タッチパネルユニット３１は、透明電極からなる静電センサ３５と、静電センサ３５の下方に配設された液晶表示部３６と、から構成されている。液晶タッチパネルユニット３１は、接続位置（１）〜（４）の各々に備えられている接続部（１）４６〜（４）４９のいずれかに接続される。接続部（１）４６〜（４）４９は、ＡＳＩＣ２６内部に備えられている、表示制御部２８、タッチ検出部２９、および位置検出部４５に接続されている。そして、表示制御部２８、タッチ検出部２９、および位置検出部４５は、ＣＰＵ２１に接続されている。また、接続部（１）４６〜（４）４９には、それぞれ位置センサ（１）４１〜（４）４４が接続されている。
【００３７】
液晶タッチパネルユニット３１の静電センサ３５は、接続部（１）４６〜（４）４９の何れか１つを介して、タッチ検出部２９に接続される。また、液晶タッチパネルユニット３１の液晶表示部３６は、接続部（１）４６〜（４）４９の何れか１つを介して、表示制御部２８に接続される。また、位置センサ（１）４１〜（４）４４は、それぞれ、接続部（１）４６〜（４）４９を介して、位置検出部４５に接続される。ユーザは、液晶表示部３６の表示を参照しながら静電センサ３５上の所望の位置に接触すると、タッチ検出部２９は、接触された座標位置を検出して位置信号をＣＰＵ２１に出力する。
【００３８】
この場合、タッチ検出部２９は、位置センサ（１）４１〜（４）４４および位置検出部４５により検出される液晶タッチパネルユニット３１の接続位置に応じて、設定される検出感度および検出領域に基づいて、タッチ操作を検出する。液晶タッチパネルユニット３１の接続位置に応じたタッチ操作の検出条件の調整プログラム（図３）については後述する。
【００３９】
表示制御部２８は、ＣＰＵ２１からの指令に従い、画像処理装置１が実行する機能に関する各種の情報を液晶表示部３６に表示させるために、液晶表示部３６の画面表示を制御する。
【００４０】
位置検出部４５は、位置センサ（１）４１〜（４）４４からの信号に基づき、液晶タッチパネルユニット３１が接続されている接続部（１）４６〜（４）４９を検出する。
【００４１】
ＮＣＵ（Ｎｅｔｗｏｒｋ Ｃｏｎｔｒｏｌ Ｕｎｉｔ）３３は、ファクシミリ通信を制御するために、ＭＯＤＥＭ３４に接続されている。ＭＯＤＥＭ３４は外部バス２５を介してＡＳＩＣ２６に接続されている。
【００４２】
ＲＯＭ２２には、各種の実行プログラムおよびデータが記憶されている。実行プログラムの一例として、液晶タッチパネルユニット３１の接続位置に応じたタッチ操作の検出条件の調整プログラム（図３）が記憶されている。また、記憶されているデータの一例として、液晶タッチパネルユニット３１の接続位置に応じたタッチ操作の検出条件の設定テーブルが記憶されている。
【００４３】
ＲＡＭ２３は、ＣＰＵ２１がＲＯＭ２２に記憶されている各種の実行プログラムを実行する際に、実行プログラムをロードし、およびプログラムの実行過程や実行結果として演算される演算結果データを保持しておく作業領域である。
【００４４】
以下では、液晶タッチパネルユニット３１の接続位置に応じたタッチ操作の検出条件の調整プログラム（図３）の実行する場合の動作を説明する。
【００４５】
画像処理装置１は、給電されていないオフ状態にある時に、液晶タッチパネルユニット３１の接続位置を接続位置（１）〜（４）の何れかに変更することができる。電源投入の際、図３に示す液晶タッチパネルユニット３１の接続位置に応じたタッチ操作の検出条件の調整プログラムが起動して、タッチパネル３１の接続位置を検出することにより、接続位置に応じたタッチ操作の検出条件を調整する。
【００４６】
プログラムが起動されると、位置センサ（１）４１〜（４）４４はおよび位置検出部４５、液晶タッチパネルユニット３１の接続位置を判別する（Ｓ１１）。次に、ＣＰＵ２１は、判別された接続位置が前回の接続位置と同じか否かを判定する（Ｓ１２）。例えば、常に最新の接続位置を電源がオフされても消えない記憶領域に保持しておき、電源投入時に予め保持していた接続位置とプログラムの起動時に判別された接続位置とを比較し、ステップ（Ｓ１２）の処理を行う。接続位置が異なっていれば（Ｓ１２：ＮＯ）、ＲＯＭ２２に記憶されている接続位置に応じたタッチ操作の検出条件の設定テーブル（図５）から、該当する接続位置について設定されている検出閾値（感度）と検出領域とに関する検出条件を読み出す（Ｓ１３）。
【００４７】
ここで、接続位置ごとに異なるタッチ操作の検出条件設定テーブルの一例を図５に示す。また、液晶表示部３６に表示される１つのボタンにおける、静電センサ３５による検出領域マップの一例を図４に示す。図４において、１つのボタンは表示領域を８つの領域（Ａ）〜（Ｈ）に分割されてタッチ操作の検出領域が制御される。ここで、検出領域とは、タッチ操作がなされたと判断される領域のことであり、各々の領域にはそれぞれ、例えば静電センサ３５が配置されている。何れかの領域を、また複数の領域を組み合わせて検出条件をオンとすることにより、同じボタンであっても、タッチ操作における検出領域を変更することができる。また、各々の領域へのタッチ操作は、各々の領域に備えられている静電センサから出力される電圧等の電気信号を検出する閾値信号レベルを変更することにより、タッチ操作に対する感度を調整することができる。
尚、図４では、ボタンの表示領域の中央部に当る領域（Ｃ）、（Ｄ）は、他の領域（Ａ）、（Ｂ）、（Ｅ）〜（Ｈ）に比して、広い領域が割り当てられて構成されている。ユーザは、ボタンにタッチする際、ボタンの表示領域の中央部に狙いを定めてタッチすることが予想されるため、中央部の領域（Ｃ）、（Ｄ）に広い面積を割り当てることは妥当である。
【００４８】
図５では、接続位置（１）〜（４）のそれぞれで、タッチ操作の検出閾値レベルとして２０、５０、５０、５０が記憶されている。ここで、検出閾値レベルが小さい場合は、より小さな信号レベルでも検出できることを意味しており、検出感度が高いことを意味する。また、検出領域については２通りの設定が記憶されている。第１の設定では、接続位置（１）についてボタン表示位置の下方にある４つの領域（Ｅ）〜（Ｈ）が検出領域として設定され、接続位置（２）〜（４）についてボタン表示位置の中央部にある４つの領域（Ｃ）〜（Ｆ）が検出領域として設定されている。第２の設定では、接続位置（１）についてボタン表示位置の中央部から下方にかけての６つの領域（Ｃ）〜（Ｈ）が検出領域として設定され、接続位置（２）〜（４）についてボタン表示位置の中央部にある４つの領域（Ｃ）〜（Ｆ）が検出領域として設定されている。すなわち、第１の設定では、接続位置に応じて、異なる検出領域の位置が設定されている。また、第２の設定では、接続位置に応じて、異なる検出領域の位置と大きさが設定されている。このように、ステップ（Ｓ１３）の処理で設定される検出条件として、第１の設定のように異なる検出領域の位置のみが設定されてもよい。また、第２の設定のように異なる検出領域の位置と大きさが設定されてもよい。また、第１および第２の設定のいずれを使用するのかをユーザに選択可能に構成してもよい。
【００４９】
図５のテーブルでは、液晶タッチパネルユニット３１が、画像処理装置１の前面に接続される場合と上面に接続される場合の検出条件である。従って、接続位置（１）においてより検出感度を上げると共に、検出領域を画像処理装置１の前面側にシフトした設定とし（第１の設定の場合）、あるいはより広い検出領域を設定（第２の設定の場合）する構成である。
【００５０】
判別された接続位置が前回の接続位置と同じであれば（Ｓ１２：ＹＥＳ）、ＣＰＵ２１は、電源投入時の処理であるか否かを判定する（Ｓ１４）。電源投入時であれば（Ｓ１４：ＹＥＳ）、前回の検出条件を接続位置に応じた設定テーブル（図５）から読み出す。
【００５１】
ステップ（Ｓ１３）あるいはステップ（Ｓ１５）で読み出された検出条件は、ＲＡＭ２３に保持される（Ｓ１６）。
【００５２】
その後、画像処理装置１の処理が継続されている中で、画像処理装置１に給電が継続している状態で液晶パネルユニット３１の接続位置が変更されたか否かが位置検出部４５により検出される（Ｓ１７）。これは、画像処理装置１の本体への給電を継続しながら、液晶パネルユニット３１およびその接続部（１）４６〜（４）４９への給電が一時的に遮断される構成を備えていれば検出可能である。
【００５３】
接続位置の変更が検出されると（Ｓ１７：ＹＥＳ）、ＣＰＵ２１は、ステップ（Ｓ１１）に戻り、再度、接続位置に対応する接続条件を読み出す処理を行う。接続位置の変更が認識されない間は（Ｓ１７：ＮＯ）、接続位置の変更を検出する処理（Ｓ１７）を継続する。
【００５４】
次に、第２実施形態について説明する。第２実施形態においては、液晶タッチパネルユニット３１が画像処理装置１に接続される場合に、液晶タッチパネルユニット３１が装着される際の傾斜角度を可変にできる機能を備えている。つまり、液晶タッチパネルユニット３１の接続状態として装着時の傾斜角度を変更することが可能な場合である。
【００５５】
図６に、液晶タッチパネルユニット３１が画像処理装置１の操作パネル部４に立設されて装着されている様子を示す。操作パネル部４に対する立設の傾斜角度θは、ユーザが自在調整することができるものである。ここで、静電センサ３５および液晶表示部３６に関しては、第１実施形態（図１）と同様であるので、ここでの説明は省略する。
【００５６】
第２実施形態の画像処理装置１のシステム構成について、図７を参照して説明する。図７のシステム構成では、図２に示す第１実施形態のシステム構成のうち、ＡＳＩＣ２６に備えられている位置検出部４５に代えて、角度検出部３７を備えており、接続部（１）４６〜（４）４９および位置センサ（１）４１〜（４）４４に代えて、角度センサ３０が液晶タッチパネルユニット３１に内蔵されて備えられている。液晶タッチパネルユニット３１に内蔵されている、液晶表示部３６、静電センサ３５、および角度センサ３０は、それぞれ表示制御部２８、タッチ検出部２９、および角度検出部３７に接続される。そのほかの構成については、第１実施形態のシステム構成（図２）と同様であるので、ここでの説明は省略する。
【００５７】
液晶タッチパネルユニット３１は、画像処理装置１の操作パネル部４に立設されて、傾斜角度θに調整可能な状態で装着される。
【００５８】
液晶タッチパネルユニット３１の静電センサ３５は、タッチ検出部２９に接続される。また、液晶タッチパネルユニット３１の液晶表示部３６は、表示制御部２８に接続される。更に、液晶タッチパネルユニット３１の角度センサ３０は、角度検出部３７に接続される。ユーザが、液晶表示部３６の表示を参照しながら静電センサ３５上の所望の位置に接触すると、タッチ検出部２９は、接触された座標位置を検出して位置信号をＣＰＵ２１に出力する。
【００５９】
この場合、タッチ検出部２９は、角度センサ３０により検出される液晶タッチパネルユニット３１の傾斜角度θに応じて、設定される検出感度および検出領域に基づいて、タッチ操作を検出する。液晶タッチパネルユニット３１の傾斜角度θに応じたタッチ操作の検出条件の調整プログラム（図８）については後述する。
【００６０】
以下では、液晶タッチパネルユニット３１の傾斜角度θに応じたタッチ操作の検出条件の調整プログラム（図８）の実行する場合の動作を説明する。第１実施形態（図３）では、液晶タッチパネルユニット３１の接続位置に応じてタッチ操作の検出条件を調整したところ、図８のプログラムでは、接続位置に代えて傾斜角度θに応じて調整をする点が異なる。
【００６１】
第２実施形態の液晶タッチパネルユニット３１は、その傾斜角度θを適宜変更することができる。液晶タッチパネルユニット３１を傾斜させるための機構は、周知のものを利用可能であるため、説明は省略する。電源投入時等にプログラムが起動されると、角度検出部３７は液晶タッチパネルユニット３１の傾斜角度θを判別する（Ｓ２１）。次に、ＣＰＵ２１は、判別された傾斜角度θが前回の傾斜角度θと同じか否かを判定する（Ｓ２２）。傾斜角度θが異なっていれば（Ｓ２２：ＮＯ）、ＲＯＭ２２に記憶されている傾斜角度θに応じたタッチ操作の検出条件の設定テーブル（図９）から、該当する傾斜角度θについて設定されている検出閾値（感度）と検出領域とに関する検出条件を読み出す（Ｓ２３）。
【００６２】
ここで、傾斜角度θごとに異なるタッチ操作の検出条件設定テーブルの一例を図９に示す。図９では、傾斜角度θが１０°〜９０°のそれぞれの角度で、タッチ操作の検出閾値レベルとして７０〜２０が記憶されている。また、検出領域については２通りの設定が記憶されている。第１の設定では、傾斜角度θの１０°および２０°についてボタン表示位置の下方にある４つの領域（Ｅ）〜（Ｈ）が検出領域として設定され、傾斜角度θの４０°および６０°についてボタン表示位置の中央部にある４つの領域（Ｃ）〜（Ｆ）が検出領域として設定され、傾斜角度θの８０°および９０°についてボタン表示位置の上方にある４つの領域（Ａ）〜（Ｄ）が検出領域として設定されている。第２の設定では、傾斜角度θの１０°および２０°についてボタン表示位置の下方にある４つの領域（Ｅ）〜（Ｈ）が検出領域として設定され、傾斜角度θの４０°についてボタン表示位置の中央部にある４つの領域（Ｃ）〜（Ｆ）が検出領域として設定され、傾斜角度θの６０°についてボタン表示位置の中央部から下方にかけての６つの領域（Ｃ）〜（Ｈ）が検出領域として設定され、傾斜角度θの８０°および９０°についてボタン表示位置の上方から中央部にかけての６つの領域（Ａ）〜（Ｆ）が検出領域として設定されている。すなわち、第１実施形態と同様に、第１の設定では、傾斜角度に応じて、異なる検出領域の位置が設定されている。また、第２の設定では、傾斜角度に応じて、異なる検出領域の位置と大きさが設定されている。このように、ステップ（Ｓ２３）の処理で設定される検出条件として、第１の設定のように異なる検出領域の位置のみが設定されてもよい。また、第２の設定のように異なる検出領域の位置と大きさが設定されてもよい。また、第１および第２の設定のいずれを使用するのかをユーザに選択可能に構成してもよい。
【００６３】
図９のテーブルでは、液晶タッチパネルユニット３１の傾斜角度θが大きくなるに従って、タッチ操作が不十分になると想定される場合であって、且つタッチ位置がボタン表示の上方に偏ると想定される場合の検出条件である。傾斜角度θが大きくなるほど、より検出感度を上げると共に、検出領域をボタン表示の上方側にシフトし（第１の設定の場合）あるいは上方側へのシフトと共により広い検出領域を設定（第２の設定の場合）する構成である。
【００６４】
判別された傾斜角度θが前回の傾斜角度θと同じであれば（Ｓ２２：ＹＥＳ）、ＣＰＵ２１は、電源投入時の処理であるか否かが判定される（Ｓ２４）。電源投入時であれば（Ｓ２４：ＹＥＳ）、前回の検出条件を傾斜角度θに応じた設定テーブル（図９）から読み出す。
【００６５】
ステップ（Ｓ２３）あるいはステップ（Ｓ２５）で読み出された検出条件は、ＲＡＭ２３に保持される（Ｓ２６）。
【００６６】
その後、画像処理装置１の処理が継続されている中で、画像処理装置１に給電が継続している状態で液晶パネルユニット３１の傾斜角度θが変更されたか否かが角度検出部３７により検出される（Ｓ２７）。第２実施形態では、画像処理装置１の本体への給電を継続しながら、液晶パネルユニット３１およびその接続部３２への給電も可能であるが、画像処理装置１の本体への給電を継続しながら、液晶パネルユニット３１およびその接続部３２への給電が一時的に遮断される構成でもよい。
【００６７】
傾斜角度θの変更が検出されると（Ｓ２７：ＹＥＳ）、ステップ（Ｓ２１）に戻り、再度、傾斜角度θに対応する接続条件を読み出す処理を行う。傾斜角度θの変更が認識されない間は（Ｓ２７：ＮＯ）、傾斜角度θの変更を検出する処理（Ｓ２７）が継続される。
【００６８】
以上、詳細に説明したように、本発明の第１実施形態によれば、液晶タッチパネルユニット３１が複数の接続位置（１）〜（４）に接続可能である場合に、接続位置（１）〜（４）に応じたタッチ操作の検出条件の設定テーブル（図５）がＲＯＭ２２に記憶されているので、液晶タッチパネルユニット３１の接続位置（１）〜（４）に応じて、タッチ操作における検出感度（信号の閾値レベル）やタッチ入力を受け付けるボタン表示上の検出領域などを最適化することができる。接続位置（１）〜（４）ごとに、タッチ操作上の特性が異なる場合であっても、接続位置（１）〜（４）の違いに関わりなく、正確なタッチ操作を検出することができる。従って、画像処理装置におけるタッチパネルの操作性を向上させることができる。
【００６９】
この場合、画像処理装置１は複数の接続部（１）４６〜（４）４９を備えており、液晶タッチパネルユニット３１の接続が可能である。これにより、何れの接続部（１）４６〜（４）４９に接続されたかによって、液晶タッチパネルユニット３１の接続位置を検出することができる。
【００７０】
この場合、ＲＯＭ２２に記憶されている接続位置に応じたタッチ操作の検出条件の設定テーブル（図５）から、検出された接続位置について設定されている検出閾値（感度）と検出領域とに関する検出条件が読み出されて設定される。複数の接続部（１）４６〜（４）４９に液晶タッチパネルユニット３１を接続することができる画像処理装置１において、液晶タッチパネルユニット３１の接続位置が自動的に検出され、その接続位置に応じて検出条件が設定されるので、液晶タッチパネルユニット３１の接続位置に関わらず、確実なタッチ操作の検出を行うことができる。そして、複数の接続部（１）４６〜（４）４９の何れに接続されても、正確で操作性の良い、使い易い液晶タッチパネルユニット３１を備えた画像処理装置１を提供することができる。
【００７１】
ここで、液晶タッチパネルユニット３１はタッチパネルの一例であり、接続位置（１）〜（４）および傾斜角度θは接続状態の一例である。また、図５、図９に示されている検出感度（信号の検出閾値）および検出領域の位置、広さは検出条件情報の一例である。また、ＲＯＭ２２は記憶手段の一例である。また、ステップ（Ｓ１６）（図３）およびステップ（Ｓ２６）（図８）の処理がＣＰＵ２１の指令に基づいて行われ、検出条件がＲＡＭ２３に保持される手段は設定手段の一例である。
【００７２】
また、位置センサ（１）４１〜（４）４４は位置検出手段の一例である。また、接続部（１）４６〜（４）４９は、タッチパネルが接続可能な複数の接続部の一例である。
【００７３】
また、角度センサ３０は角度検出手段の一例である。また、接続部３２は、タッチパネルの傾斜角度が変更可能な接続部の一例である。
【００７４】
また、テーブル（図５、図９）における検出領域（１）、（２）は、タッチパネルにおけるタッチ操作の検出領域に関する位置情報の一例であり、タッチ操作を検出する検出領域の大きさの一例である。
【００７５】
また、テーブル（図５、図９）における閾値レベルは、タッチ操作による入力検出を判断する前記静電容量の変化量に応じたしきい値の一例である。
【００７６】
また、本発明の第２実施形態によれば、液晶タッチパネルユニット３１の傾斜角度θが可変である場合に、傾斜角度θに応じたタッチ操作の検出条件の設定テーブル（図９）がＲＯＭ２２に記憶されているので、液晶タッチパネルユニット３１の傾斜角度θに応じて、タッチ操作における検出感度（信号の閾値レベル）やタッチ入力を受け付けるボタン表示上の検出領域などを最適化することができる。傾斜角度θごとに、タッチ操作上の特性が異なる場合であっても、傾斜角度θの違いに関わりなく、正確なタッチ操作を検出することができる。従って、画像処理装置におけるタッチパネルの操作性を向上させることができる。
【００７７】
この場合、画像処理装置は液晶タッチパネルユニット３１の傾斜角度θが可変の接続部３２を備えており、傾斜角度θが変更可能である。これにより、接続部３２により、液晶タッチパネルユニット３１の傾斜角度θを検出することができる。
【００７８】
この場合、ＲＯＭ２２に記憶されている傾斜角度θに応じたタッチ操作の検出条件の設定テーブル（図９）から、検出された傾斜角度θについて設定されている検出閾値（感度）と検出領域とに関する検出条件が読み出されて設定される。液晶タッチパネルユニット３１を画像処理装置１の操作パネル部４に立設して装着することができる画像処理装置１（図６）において、液晶タッチパネルユニット３１の傾斜角度θが自動的に検出され、その傾斜角度θに応じて検出条件が設定されるので、液晶タッチパネルユニット３１の傾斜角度θに関わらず、確実なタッチ操作の検出を行うことができる。そして、何れの傾斜角度θであっても、正確で操作性の良い、使い易い液晶タッチパネルユニット３１を備えた画像処理装置１を提供することができる。
【００７９】
また、第１および第２実施形態では、液晶タッチパネルユニット３１の表示ボタンは、表示領域を複数の領域（例えば、８つの領域（Ａ）〜（Ｈ））に分割してタッチ操作の検出領域が制御されている。各々の領域にはそれぞれ、例えば静電センサが配置され、何れかの領域を、また領域を組み合わせて検出条件をオンとすることにより、同じボタンであっても、タッチ操作における検出領域の位置および広さを変更することができる。また、各々の領域へのタッチ操作は、各々の領域に備えられている静電センサから出力される電圧等の電気信号を検出する閾値信号レベルを変更することにより、タッチ操作に対する感度を調整することができる。
【００８０】
タッチ操作における接続状態の違いによるタッチ操作の特性の違いを吸収して、液晶タッチパネルユニット３１の接続位置（１）〜（４）、傾斜角度θに関わらず、タッチする指の接触面積や接触具合などが異なる場合でも、各々の状態に適合した検出情報に関する位置情報を選択して設定することができる。また、検出領域を適切に選択して設定することができる。液晶タッチパネルユニット３１の接続位置（１）〜（４）、傾斜角度θに関わらず、確実なタッチ操作の検出を行うことができる。
【００８１】
また、タッチ操作特性の違いによる検出信号強度の違いを吸収して、液晶タッチパネルユニット３１の接続位置（１）〜（４）、傾斜角度θに関わらず、確実なタッチ操作の検出を行うことができる。
【００８２】
尚、本発明は前記実施形態に限定されるものではなく、本発明の趣旨を逸脱しない範囲内での種々の改良、変更が可能であることは言うまでもない。
例えば、本実施形態では、接続位置（１）〜（４）と傾斜角度θを変更する場合を、それぞれ個別に備える画像処理装置１について説明したが、本発明はこれに限定されるものではない。両者を同時に備えることができることは言うまでもない。
また、図４について、表示ボタンの検出領域を８つの領域に区画し、その中央部の領域を広く設定する場合を説明したが、ボタン表示領域の区画数、および区画された各領域の大きさは適宜変更することができることは言うまでもない。
また、テーブル（図５、図９）での、閾値レベルの設定、および検出領域の設定についても、適宜最適化することが可能であることは言うまでもない。さらに、テーブルにおいて、第１および第２の設定以外にも多数の設定を記憶させておき、それらの設定をユーザの指示により選択可能に構成してもよい。また、ユーザのタッチ操作について、タッチ位置、タッチ面積、最適なタッチ感度の統計をとっておき、その統計に基づいて自動的に設定を切り換えるように構成してもよい。これにより、タッチパネルの誤操作が少なくなり、操作性が向上する。
【図面の簡単な説明】
【００８３】
【図１】第１実施形態の画像処理装置の外観斜視図である。
【図２】第１実施形態のシステム構成図である。
【図３】液晶タッチパネルユニットの接続位置に応じたタッチ操作の検出条件の設定プログラムを示すフロー図である。
【図４】タッチパネルのボタン表示における検出領域の区画を示す図である。
【図５】接続位置に応じたタッチ操作の検出条件の設定テーブルである。
【図６】第２実施形態の画像処理装置の要部外観斜視図である。
【図７】第２実施形態のシステム構成図である。
【図８】液晶タッチパネルユニットの傾斜角度に応じたタッチ操作の検出条件の設定プログラムを示すフロー図である。
【図９】傾斜角度θに応じたタッチ操作の検出条件の設定テーブルである。
【符号の説明】
【００８４】
１       画像処理装置
２１       ＣＰＵ
２２       ＲＯＭ
２３       ＲＡＭ
２８       表示制御部
２９       タッチ検出部
３０       角度センサ
３１       液晶タッチパネルユニット
４６〜４９     接続部（１）〜（４）
３５       静電センサ
３６       液晶表示部
３７       角度検出部
４１〜４４     位置センサ（１）〜（４）
４５       位置検出部
【図１】
0004600501.tif 000002
【図２】
0004600501.tif 000003
【図３】
0004600501.tif 000004
【図４】
0004600501.tif 000005
【図５】
0004600501.tif 000006
【図６】
0004600501.tif 000007
【図７】
0004600501.tif 000008
【図８】
0004600501.tif 000009
【図９】
0004600501.tif 000010